(57)【特許請求の範囲】
【請求項１】
中央に突起軸を立設した円盤形のベース台に、円中心に円形孔を有するディスク状光記憶媒体（以下、光ディスクと記載）を前記突起軸へ多数枚貫入積層し、前記ベース台に被嵌する底部の開放した樹脂製の円筒形のカバーケースからなる、光ディスク多数枚収納容器用スピンドルケースにおいて、
前記光ディスクを多数枚貫入積層する突起軸を中央に立設した、多角形または少なくとも側面の一対面が平行面を有する台をしたベース台と、
前記ベース台に被嵌する底部の開放したカバーケースで、このカバーケースに有する平行面の一面表に係合部Ａと、この係合部Ａを設けた前記一面表の対面表に係合部Ｂを設け、前記係合部Ａと前記係合部Ｂは互いに契合される形状をしたカバーケースと、からなるを特徴とする光ディスク収納容器のスピンドルケース。
【請求項２】
多角形または少なくとも側面の一対面が平行面を有する台をした前記ベース台に係止部を設けたベース台と、
このベース台の平面台の外周形と略同一外郭形状で、このベース台に被嵌する底部の開放したカバーケースに前記ベース台の係止部とが嵌合する係止部を設け、これら係止部を解除することにより前記ベース台と前記カバーケースとが着脱可能となる請求項１に記載の光ディスク収納容器のスピンドルケース。
【請求項３】
前記ベース台が複数連続し一体となったベース台と、
この一体となったベース台に被嵌する底部の開放したカバーケースと、
からなる請求項１または２に記載の光ディスク収納容器のスピンドルケース。
【発明の詳細な説明】
【技術分野】
【０００１】
本発明はＣＤやＤＶＤなどのディスク状光記憶媒体の多数量収納容器である、スピンドルケースに関する。
【背景技術】
【０００２】
ＣＤやＤＶＤなどのディスク状光記憶媒体（以下、光ディスクと記載）の多数量収納容器である従来の一般的円筒形スピンドルケース２１の構成は、図７の如く大きく分けて樹脂製の円盤形ベース台２３と、この円盤形ベース台２３に被せる樹脂製の円筒形のカバーケース２２からなる。
【０００３】
また、光ディスク２０には、ディスク中心部に円形孔があり、また前記円盤形ベース台２３の中心には突起軸４が立設してある。この突起軸４に光ディスク２０の中心にある円形孔を貫入し、所定の多数の光ディスク２０を水平に積層収納してある。そして底部が開放された円筒形のカバーケース２２を前記円盤形ベース台２３に被せ、前記円筒形スピンドルケース２１が出荷運搬され、店頭に水平に陳列載置され販売されている。
【０００４】
また、光ディスク２０の片面には記録面が存在するため、この記録面保護のため、この光ディスク中央孔の周辺近傍に微高な凸状のリング状である接触防止用のスタックリングを設けてある。これはスピンドルケース内の光ディスク多数積層による他の光ディスクや異物等の接触を防ぐ記録面保護をしている（特許文献１）。
【０００５】
また、ケースが多角形をした特許文献２があるが、これは光ディスク保護のためケース下半分の底部に設けた複数の溝に、上部から垂直に光ディスクを１枚ごと挿入し、そしてケース上半分を閉蓋し、突起軸４が無い光ディスク収納容器である。
【先行技術文献】
【特許文献】
【０００６】
【特許文献１】特許公開２００９−２７４７６６
【特許文献２】特許公開２００６−２１３３７５
【発明の概要】
【発明が解決しようとする課題】
【０００７】
しかし、従来スピンドルケースは光ディスク多数枚収納販売容器用であり、光ディスク２０を図７の如くスピンドルケース容器内に水平に多数積層すれば、下層にある光ディスクには加重がかかる。たとえ、光ディスク中央孔周辺近傍に上記接触防止のスタックリングを設けてあっても、樹脂製である光ディスクは、長期に亘っての多数積層は、光ディスクの歪みや光ディスク同士の部分接触などによる不具合が懸念される。
【０００８】
また従来の円筒形スピンドルケース２１は、光ディスク２０の形状に合わせた円筒形容器であるため、この円筒形スピンドルケース２１を横にすると転がるため水平にしか載置できず、光ディスク保管容器としての積層陳列などは収納上難しい。
【０００９】
また、上記、特許文献２における光ディスク保護用のケースにおいても、光ディスク保護用の精密な溝を多数設けるため、光ディスク収容枚数が多く取れず、また保管用としてのケース同士の積層陳列は難しい。
【００１０】
よって、従来の円筒形スピンドルケース２１は光ディスク多数枚収納販売容器専用であって、保管用ではないため、スピンドルケース内の光ディスク２０を順次取り出し記録した後は、別の保管専用のファイルケースや不織布の簡易ケース袋などに移され、空になったスピンドルケースは空ケースとして廃棄され資源の無駄になっている。
【課題を解決するための手段】
【００１１】
本発明は上記課題を解決するため
従来のスピンドルケースは、中央に突起軸４を立設した円盤形ベース台２３に、円中心に円形孔を有する光ディスク２０を前記突起軸４へ多数枚貫入積層し、前記円盤形ベース台２３に被嵌する底部の開放した樹脂製の円筒形カバーケース２２からなる、光ディスク２０の多数枚収納容器用円筒形スピンドルケース２１がある。
本発明のスピンドルケースは、光ディスク２０を多数枚貫入積層する突起軸４を中央に立設した、多角形または少なくとも側面の一対面が平行面を有する台をした変形ベース台と、この変形ベース台の平面台の外周形（ベース台側面の一対面が平行面）が略同形、及び底部が開放した変形カバーケースからなる光ディスク収納容器のスピンドルケースで、
【００１２】
前記変形ベース台に被せ嵌合後、前記変形ベース台の側面に設けた係合部を解除することによって、前記変形ベース台と前記変形カバーケースとが着脱可能となり、
【００１３】
また、前記変形カバーケースに有する平行面の一面表に複数の突起部Ａと、この突起部Ａを設けた前記一面表の対面表に複数の突起部Ｂを設け、これら突起部Ａと突起部Ｂは互いに契合可能な形状をし、
本スピンドルケースの前記突起部Ａと他の本スピンドルケースの突起部Ｂが契合し、載上陳列を可能とする本スピンドルケースである。
【００１４】
また、前記変形ベース台が複数連続し一体となった、収納容量大も可能な本スピンドルケースである。
【発明の効果】
【００１５】
本発明の変形スピンドルケースは、従来の円筒形スピンドルケースから変形スピンドルケースにすることによって、スピンドルケースが水平置き（光ディスク水平積層置き）から横置きも可能になり、スピンドルケース内の多数積層収納する光ディスクが、水平な積層状態から垂直な懸架状態になるため、鉛直方向加重のかかるスピンドルケース下層にある光ディスクの歪みや光ディスク同士の部分接触などによる不具合が解消され、光ディスクの多数枚収納や長期保存も可能である。
【００１６】
また従来の円筒形スピンドルケースは横に倒すと転がるため横置き載置は不可能である。よって、本発明の変形スピンドルケースの多角形等（側面の一対面が平行面）である平面を下にすれば、従来の水平置だけでなく、横置き載置も可能になり、また、本変形スピンドルケースのカバーケース表平面に載上可能兼、ケース表面傷防止の突起部を設けることによって、本変形スピンドルケース横置き同士の多数載上も可能になる。
【００１７】
さらに本変形スピンドルケースは、カバーケースが透明な場合、内部が見えるため、横置きの場合、ケース正面から内部の光ディスク表面も見え、また当ケース表平面にペン記入または、記名用ラベル等貼り付ければ、水平置き、横置き、また、重ね載上陳列整理も見栄えよくできる。
【００１８】
また、本変形スピンドルケース１は、図６（ａ）の直方体の載上例以外でも、例えば図６（ｂ）（ｃ）の如くケース断面が三角形や多角形なスピンドルケースとしても自由に載上陳列できる。
【００１９】
また、変形ベース台３を図５の如く複数連続させ一体化した変形スピンドルケースや、または図６（ｄ）など円形連続一体化など、変形スピンドルケースもでき、更なる光ディスク多数枚収納を希望するときも、カバーケースの嵩上げを抑えられる。
【００２０】
以上の如く、多角形等の変形スピンドルケースにすることによって、光ディスクの保護だけでなく、多数枚収納容器及び保管用ファイルケースとして、また、個人の好みによる形状などバリーエーションが豊富になり、これによって従来廃棄されていたスピンドルケースがそのまま保管用ケースへ生まれ変わる本スピンドルケースである。
【図面の簡単な説明】
【００２１】
【図１】（ａ）本発明変形スピンドルケースの斜視図。（ｂ）同変形スピンドルケースの分解斜視図。
【図２】本発明変形スピンドルケース横置の斜視図。
【図３】（ａ）本発明変形カバーケースとベース台の着脱係合図。（ｂ）同変形カバーケースの脱着別参考例。
【図４】（Ａ）本発明変形スピンドルケース突起部載上例正面図。（Ａ−１）本発明変形スピンドルカバー突起部上面図。（Ａ−２）同変形スピンドルカバー突起部下面図。（Ｂ）本発明変形スピンドルケース突起部（環状突起部）載上例正面図。（Ｂ−１）本発明変形スピンドルカバー突起部（環状突起部）上面図。（Ｂ−２）同変形スピンドルカバー突起部（環状突起部）下面図。
【図５】本発明変形ベース台の複数台一体化例の斜視図。
【図６】（ａ）本発明変形スピンドルケース直方体同士の載上例斜視図。（ｂ）同、三角形載上例斜視図。（ｃ）同、六角形載上例斜視図。（ｄ）同、側円形載上例斜視図。
【図７】従来の円筒形スピンドルケース。
【発明を実施するための形態】
【００２２】
本発明の変形スピンドルケース１の構成は、変形ベース台３の中心には突起軸４が立設してあり、この突起軸４に、従来の光ディスク２０であるディスク中心部に円形孔がある所定の多数の前記光ディスク２０を貫入積層収納し、本発明の変形スピンドルケース１の構成である変形のカバーケース２を前記ベース台３に被せた本発明の変形スピンドルケース１である。以下実施例を説明する。
【実施例１】
【００２３】
以下実施例１を各図と共に説明する。
上記構造の変形スピンドルケース１は図1の如く変形（角形）であるため、本発明変形スピンドルケース１を図１（ａ）の従来の水平置き状態（光ディスク２０水平積層置き）から図２の如く横倒して平面上に載置（横置き）しても、前記変形スピンドルケース１が安定する。
これによって光ディスク２０が水平な積層状態から垂直な懸架状態になるため、鉛直方向加重のかかるスピンドルケース下層の光ディスクの歪みや光ディスク同士の部分接触などによる不具合が解消される
【００２４】
本発明の変形スピンドルケース１内の光ディスク２０を取り出す場合、変形ベース台３のフック６を図３（ａ）の如く指の挟扼によってフック６を矢印方向（内側）へ移動させ、変形カバーケース２のフック受５を開放し、変形ベース台３から変形カバーケース２が外せる。
または本変形スピンドルケース１は柔軟な樹脂製であれば図３（ｂ）の如く、ベース台３に被嵌してある変形カバーケース２を捻り回転させて、フック受５の開放にて開蓋も可能である。
【００２５】
また、変形カバーケース２を変形ベース台３に被せる場合、変形カバーケース２の開口部（下部）を、図１（ｂ）のベース台３の周辺に凸設したカバーガイド７に上部から外接して被せ、ベース台３のフック６と変形カバーケース２のフック受５を嵌合させる。以上の操作にてカバーケース２の着脱が可能になる。
【実施例２】
【００２６】
また、図１（ｂ）の如く、変形カバーケース２の一側面表の左右縦稜線に略沿って左右両サイドに対称な突起したリブＡａ８，リブＡｂ９を設け、対面の側面表には、同じくリブＢａ１０，リブＢｂ１１を設けるが、前記リブＡａ８，Ａｂ９の間隔内側に契合するような間隔寸法で左右両サイドに前記リブＢａ１０，Ｂｂ１１設ける。
【００２７】
これにより当変形スピンドルケース１を横置き（図２）した場合、例えば図４（Ａ）の如く変形カバーケース２のリブＡａ８，Ａｂ９を底面にしたとき、この変形カバーケース２の上面には図４（Ａ−１）のリブＢａ１０，Ｂｂ１１が設けてある。
このとき他の変形スピンドルケース１をこの上に重ねて載上するとき、下に位置する変形スピンドルケース１の上面にある前記リブＢａ１０，Ｂｂ１１と、載上する他の変形スピンドルケース底面のリブＡａ８，Ａｂ９とが間隔内に入り込み契合され、上下二台の変形スピンドルケース１同士が固定されるため、複数台載上しても滑落せず載上可能である。
【００２８】
また、これらリブの突起により載置面からの変形カバーケース２の表面傷防止ともなる。
尚、本変形スピンドルケースの実施図では変形カバーケースの一対称面しかリブを設けていないが他面一対称面にも設けて上下左右の四面に設けてもよい。
【実施例３】
【００２９】
また前記変形カバーケース２に設けた突起部リブＡ、Ｂに代わって、前記変形カバーケース２の一側面表に図４（Ｂ−２）の如く中心に凹部穴のある円環状の突起台１２を略四隅へ対称に設け、対面の側面表には、図４（Ｂ−１）の如く前記円環状の突起台１２にそれぞれ嵌入可能な凸部状のボス１３を設ける。
【００３０】
これにより前記実施例２と同様に当変形スピンドルケース１を横置きした場合、例えば図４（Ｂ）の如く変形カバーケース２の円環状の突起台１２を底面にしたとき、このとき他の同変形スピンドルケース１をこの上に重ねて載上するとき、円環状の突起台１２を底面側にして載上すれば、下に位置する変形スピンドルケース１の上面にあるボス１３が、載上する他の変形スピンドルケース底面にある夫々の円環状の突起台１２に入り込み、上下の変形スピンドルケース１同士が固定されるため、複数載上しても滑落せず載上可能である。
【実施例４】
【００３１】
また、変形ベース台３が図５の如く複数連続一体化も可能であり、更なる多数枚収納の容器とするときもカバーケース２を嵩上げしなくても、多数枚収納容器及び保管用ケースとしてもなる。
【実施例５】
【００３２】
また、図６の各図は変形（多角形等）である本変形スピンドルケースの形状、及び保管用ケースまたは陳列ケースとしての一例を示したものである。
【符号の説明】
【００３３】
１．変形スピンドルケース    
２．変形カバーケース 
３．変形ベース台
４．突起軸
５．フック受 
６．フック
７．カバーガイド
８．リブＡａ
９．リブＡｂ
１０．リブＢａ
１１．リブＢｂ
１２．凹状円環台
１３・凸状ボス
２０．光ディスク
２１．円筒形スピンドルケース
２２．円筒形カバーケース
２３．円盤形ベース台
【図１】
0005563546.tif 000002
【図２】
0005563546.tif 000003
【図３】
0005563546.tif 000004
【図４】
0005563546.tif 000005
【図５】
0005563546.tif 000006
【図６】
0005563546.tif 000007
【図７】
0005563546.tif 000008